(57)【要約】【課題】カバー体の下方部位の固定手段が外れたような場合にカバー体に衝撃が加わったとしても、カバー体が枠体から外れないようにする。【解決手段】枠体８とカバー体９との取付構造において、枠体８は水平状に延出する上面部８１を備えていると共に、上面部８１の先端には被掛止部８２が形成されており、カバー体９は面部９０を備えていると共に、面部９０の上端には被掛止部８２に対応して掛止部９２が形成されており、被掛止部８２の所定部位を切り欠いて被係合部８２０が形成されており、掛止部９２には被係合部８２０に対応して係合片９２１が形成されており、カバー体９の掛止部９２は、係合片９２１が被係合部８２０に係合した状態で、被掛止部８２に掛止される。【選択図】図７
2008082053.tif 000002
【特許請求の範囲】
【請求項１】
長手方向に延出する枠体とカバー体との取付構造において、
前記枠体は水平状に延出する上面部を備えていると共に、前記上面部の先端には長手方向に延出する被掛止部が形成されており、
前記カバー体は面部を備えていると共に、前記面部の上端には前記被掛止部に対応して長手方向に延出する掛止部が形成されており、
前記被掛止部の長手方向の所定部位を切り欠いて被係合部が形成されており、
前記掛止部の長手方向の所定部位には前記被係合部に対応して係合片が形成されており、
前記カバー体の前記掛止部は、前記係合片が前記被係合部に係合した状態で、前記被掛止部に掛止される、
枠体とカバー体との取付構造。
【請求項２】
前記係合片と前記被係合部の係合状態は、前記カバー体が上端を支点として所定角度上方に回動するまで係合状態が保持されるように構成されている、請求項１に記載の取付構造。
【請求項３】
前記カバー体は、前記面部を略水平姿勢とした状態で、前記掛止部の係合片を前記被掛止部の切り欠き部に正面から挿入し、前記面部を垂直姿勢となるまで下方に回動して前記係合片を前記被係合部に係合させることで、前記枠体に取り付けられる、請求項２に記載の取付構造。
【発明の詳細な説明】
【技術分野】
【０００１】
本発明は、枠体とカバー体との取付構造に係り、好ましい態様例では、引戸装置の上枠を構成する上枠本体と点検カバーとの取付構造に関するものである。
【背景技術】
【０００２】
病院等の居室の出入り口に設置する引戸装置においては、取付やメンテナンスのために、開口部上方の上枠を、上枠本体と、上枠本体に対して着脱自在の点検カバーと、から構成している。
【０００３】
従来、点検カバーの取付方法としては、大きく分けて以下の３種類がある。
（１）点検カバーの上部を上枠本体に引っ掛け、点検カバーの下部を螺子で固定する。
（２）点検カバーの上部を上枠本体に差し込み、点検カバーの下部を螺子で固定する。
（３）点検カバーの上部を上枠本体に丁番を用いて回動自在に連結し、点検カバーの下部を螺子あるいはマグネットで固定する。
【０００４】
特許文献１の図５、本明細書の図１９には、前記（１）の取付構造が示してある。図１９において、上枠本体８の上面部８１の先端には被掛止部８２が、点検カバー９の面部９０の上端には掛止部９２がそれぞれ形成されている。掛止部９２は単に被掛止部８２に引っ掛けてあるだけである。
【０００５】
しかしながら、前記（１）、（２）の取付方法だと、何らかの理由で下部の螺子が外れてしまったような場合に、点検カバーに下から上に向かう衝撃が加わると点検カバーの上部の引っ掛けが外れて点検カバーが落下するという事故が発生している。また、前記（３）の取付方法だと、点検カバーの落下の可能性は低減するが、コスト高となる上、点検カバーを外せないことにより、扉体の吊り込み時及びメンテナンス時に点検カバーを支えていなければならないため作業性が悪いという不具合がある。さらに、丁番を用いたものでは、現場において位置を合わせて丁番を取り付けるなどの作業が必要となるため、施工性が悪いという問題がある。
【特許文献１】特開２００６−１０４８３０
【発明の開示】
【発明が解決しようとする課題】
【０００６】
本発明の目的は、枠体とカバー体の取付構造において、カバー体の下方部位の固定手段が外れたような場合にカバー体に下から上に向かう衝撃が加わったとしても、カバー体が枠体から外れないようにすることにある。
【課題を解決するための手段】
【０００７】
本発明が採用した技術手段は、長手方向に延出する枠体とカバー体との取付構造において、前記枠体は水平状に延出する上面部を備えていると共に、前記上面部の先端には長手方向に延出する被掛止部が形成されており、前記カバー体は面部を備えていると共に、前記面部の上端には前記被掛止部に対応して長手方向に延出する掛止部が形成されており、前記被掛止部の長手方向の所定部位を切り欠いて被係合部が形成されており、前記掛止部の長手方向の所定部位には前記被係合部に対応して係合片が形成されており、前記カバー体の前記掛止部は、前記係合片が前記被係合部に係合した状態で、前記被掛止部に掛止される、枠体とカバー体との取付構造、である。本発明は、特に、カバー体の上方部位と枠体との取付構造に特徴を有している。カバー体の下方部位は、螺子等の固定手段を用いて（必要であれば固定部材を介して）枠体に着脱自在に固定される。
【０００８】
好ましい態様では、前記係合片と前記被係合部の係合状態は、前記カバー体が上端を支点として所定角度上方に回動するまで係合状態が保持されるように構成されている。前記所定角度は、好ましい態様例では、略９０度（垂直姿勢から水平姿勢まで回動する）である。
【０００９】
より具体的な好ましい態様では、前記カバー体は、前記面部を略水平姿勢とした状態で、前記掛止部の係合片を前記被掛止部の切り欠き部に正面から挿入し、前記面部を垂直姿勢となるまで下方に回動して前記係合片を前記被係合部に係合させることで、前記枠体に取り付けられる。
【発明の効果】
【００１０】
本発明の取付構造では、カバー体の上方部位において、被掛止部と掛止部の掛止に加えて、被掛止部に形成した被係合部と掛止部に形成した係合片とが係合状態にあるので、カバー体の下方部位の固定手段が外れたような場合にカバー体に下から上に向かう衝撃が加わったとしても、カバー体が枠体から外れることがない。
【００１１】
前記係合片と前記被係合部の係合状態を、前記カバー体が上端を支点として所定角度上方に回動しないと解除されないように構成することで、カバー体に下から上に向かう衝撃が加わってカバー体が上動したとしても、カバー体が枠体から外れることがない。
【００１２】
前記カバー体は、前記面部を略水平姿勢とした状態で、前記掛止部の係合片を前記被掛止部の切り欠き部に正面から挿入し、前記面部を垂直姿勢となるまで下方に回動して前記係合片を前記被係合部に係合させることで、前記枠体に取り付けられるものでは、カバー体の上方部位が枠体から外れるためには、「カバー体が上方へ回動する」、「カバー体の係合片を枠体の切り欠き部から引き抜く」という２アクションが必要となるため、カバー体の脱落の危険性が非常に小さくなる。また、点検時には、前述の通り、カバー体を上方へ回動させて、カバー体の係合片を枠体の切り欠き部から引き抜けばよいので、本発明に係る取付構造が点検作業に支障を来たすことはない。
【発明を実施するための最良の形態】
【００１３】
本発明の好ましい形態を３つの実施例に基づいて説明する。
【実施例１】
【００１４】
図１乃至図７Ａを参照して実施例１について説明する。図１は扉閉鎖時における引戸装置の姿図、図２は引戸装置の一部省略縦断面図、図３は引戸装置の一部省略横断面図である。引戸装置が設けられる建物開口部は、上枠１と、左右の縦枠２，３と、床面４と、から形成されている。引戸装置は２枚の扉体５，６を有し、２枚の扉体５，６によって開口部を開閉するようになっている。開口部開放時には、扉体５は、扉体６の戸先側端面から扉体６の内部に収納されると同時に、扉体６は、戸尻側の縦枠３に形成された開口から戸尻側縦枠３の内側に形成されている戸袋部７内に収納される。
【００１５】
上枠１内には、扉体６の移動方向（扉体６の幅方向）に延出する吊持レール６０が設けてあり、扉体６の上端に設けた吊持ローラ６１が吊持レール６０に案内されて移動することで、扉体６が開口部を開閉する。扉体６の内部の上方部位には、扉体５の移動方向（扉体５の幅方向）に延出する吊持レール５０が設けてあり、扉体５の上端に設けた吊持ローラ５１が吊持レール５０に案内されて移動することで、扉体５が開口部を開閉する。図中、符号６２は、扉体６の振れを規制する振れ止めローラである。図３に示すように、扉体６の戸先側端部、戸尻側縦枠３には、指詰規制片６ａ，３ａが、それぞれ、扉体５の見付面、扉体６の見付面に対向するように設けてあり、扉体５が扉体６内に引き込まれる際、また、扉体６が戸袋部７内に引き込まれる際に、扉体５，６と共に指が誤って引き込まれることを防止している。尚、２枚の扉体５，６を備えた２連引き込み式の引戸装置について説明したが、本発明が適用される引戸装置は、１枚の扉体を備えた引戸装置であってもよい。図７、図１２、図１３、図１７の引戸装置は、１枚の扉体５Ａの上端に設けた吊持ローラ５１Ａが吊持レール５０Ａに案内されて移動することで、扉体５Ａが開口部を開閉する。
【００１６】
上枠１は、上枠本体８と、点検カバー９と、から構成されている。上枠本体８、点検カバー９は共に開口幅方向に延出する長手部材である。上枠本体８、点検カバー９は共に断面視略L形状を有しており、両部材８，９から断面視方形状の上枠１が組立てられる。
【００１７】
上枠本体８は、垂直状に延出する装着部８０と、装着部８０の上端から水平状に延出する上面部８１と、上面部８１の先端部位に形成された被掛止部８２と、からなる。上枠本体８は躯体に装着されている。
【００１８】
被掛止部８２は、図７Ａ（Ｂ）に示すように、側面視において、上面部８１の先端から下方に延出する第１片８２Ａと、第１片８２Ａの下端から上面部８１に平行して水平状に延出する第２片８２Ｂと、第２片８２Ｂの先端から下方に延出する第３片８２Ｃと、第３片８２Ｃの下端から第２片８２Ｂに平行して水平状に延出する第４片８２Ｄと、第４片８２Ｄの先端から第３片８２Ｃに平行して上方に延出する第５片８２Ｅと、から構成されている。第５片８２Ｅは、点検カバー９の上端が掛止する被掛止片８２１を構成する。
【００１９】
被掛止部８２は長手方向において所定部位が部分的に切り欠かれている。図４に示す例では、被掛止部８２の長手方向両端が切り欠かれている。図７Ａ（Ｂ）において塗り潰して示すように、被掛止部８２を構成する第５片８２Ｅ、第４片８２Ｄ、第３片８２Ｃの一部が切り欠かれている。切り欠き部Ｃにおいて、部分的に切り欠かれた短尺の第３片を８２Ｃ´で表す。被掛止部８２において、切り欠き部Ｃにおいて、被係合部８２０（短尺の第３片を８２Ｃ´）が形成され、切り欠かれていない部位が被掛止片８２１を構成する。
【００２０】
点検カバー９は、垂直状に延出する面部９０と、面部９０の下端から水平状に延出する水平部９１と、面部９０の上端部位に形成された掛止部９２と、からなる。点検カバー９は、掛止部９２を上枠本体８の被掛止部８２に掛止すると共に、下方部位が螺子９Ａによって上枠本体８に固定（直接、間接を問わない）されている。点検カバー９の下方部位を螺子で固定する構造は公知であって、例えば、後述する第３実施例に示す例では、点検カバー９の面部の下方部位は上枠本体８の装着部８０に持ち出し状に設けた固定片８３に螺子９Ａで固定されている。
【００２１】
掛止部９２は、図７Ａ（Ｃ）に示すように、側面視において、面部９０の上端から水平状に延出する第１片９２Ａと、第１片９２Ａの先端から上方に延出する第２片９２Ｂと、から構成されている。掛止部９２には、長手方向において、被掛止片８２１（被掛止部８２において切り欠かれていない部位）に対応する部位を切り欠かくことで掛止片９２０が形成されている。図５の例では、掛止部９２の長さ方向両端部を残して中央部位が切り欠かれている。掛止部９２において、切り欠かれていない部位は、被掛止部８２の被係合部８２０（切り欠かれている部位）に対応する係合片９２１を構成する。
【００２２】
図７Ａ（Ｃ）に示すように、第２片９２Ｂ、第１片９２Ａの一部が切り欠かれている。切り欠き部において、部分的に切り欠かれた短尺の第１片を９２Ａ´で表す。掛止部９２において、切り欠かれた部位の短尺の第１片を９２Ａ´が被掛止部８２の被掛止片８２１に掛止される掛止片９２０を構成する。その他の切り欠かれていない部分（第１片９２Ａ及び第２片９２Ｂ）が被掛止部８２の被係合部８２０に係合する係合片９２１を構成している。
【００２３】
図６、図７に基づいて上枠本体８に対する点検カバー９の取り付けについて説明する。尚、図６、図７では、被係合部８２０、係合片９２１の形成部位が図４、図５のものと異なる点に留意する。先ず、点検カバー９の面部９０を水平状の姿勢として、面部９０の先端の掛止部９２を正面から上枠本体８の凹状の被掛止部８２に挿入させる（図７（B））。この時、被掛止部８２の切り欠き部Ｃに掛止部９２の係合片９２１が受け入れられ、掛止部９２は全体として凹状の被掛止部８２内に受け入れられている。掛止部９２の係合片９２１（第２片９２Ｂ）の先端は、被掛止部８２の第３片８２Ｃ（８２Ｃ´）の裏側にまで延出している。この状態から点検カバー９を水平姿勢のまま下方に移動させると、点検カバー９の面部９０の先端部位が被掛止部８２の被掛止片８２１（第５片８２Ｅ）の上端に当接する（図７（C））。
【００２４】
ついで、掛止部９２の掛止片９２０（第１片９２Ａ（９２Ａ´））が被掛止部８２の被掛止片８２１（第５片８２Ｅ）の上端に当接した状態で、当該当接部を支点として点検カバー９を、垂直姿勢となるまで下方に回動させる（図７（Ｄ）（Ｅ））。このように、点検カバー９を下方に回動させることで、掛止部９２の係合片９２１（第２片９２Ｂ）は、被掛止部８２の被係合部８２０（第３片８２Ｃ´）と係合状態となる。
【００２５】
そして、点検カバー９の面部９０の下端側を螺子９Ａで固定することで、点検カバー９は上下部位において上枠本体８に取り付けられる（図７（Ａ））。
【００２６】
この状態では、図７Ａ（Ａ）に示すように、掛止部９２の掛止片９２０（第１片９２Ａ´）の基端部が被掛止部８２の被掛止片８２１（第５片８２Ｅ）の上端に掛止されており、掛止部９２の係合片９２１（第２片９２Ｂ）は、被掛止部８２の被係合部８２０（第３片８２Ｃ´）に係合され、第３片８２Ｃ´の裏面側に位置して対向するように延出している。係合片９２１と被係合部８２０の係合状態は、点検カバー９が図７（Ｄ）の状態からさらに上方に回動させて引き抜くように移動させないと解除されない。したがって、仮に螺子９Ａが外れた状態で点検カバー９に衝撃が加わったとしても、点検カバー９の掛止部９２が上枠本体８の被掛止部８２から外れて点検カバー９が落下するようなことがない。
【実施例２】
【００２７】
図８乃至図１２Ａを参照して実施例２について説明する。実施例２は、被掛止部８２、掛止部９２の具体的な構成を除いて実質的に実施例１と同じである。実施例１と共通する部材については共通の参照番号が付してあり、共通の参照番号が付された部材については実施例１の説明を援用することができる。
【００２８】
被掛止部８２は、図１２Ａ（Ｂ）に示すように、側面視において、上面部８１の先端から下方に延出する第１片８２Ａと、第１片８２Ａの下端から上面部８１に平行して水平状に延出する第２片８２Ｂと、第２片８２Ｂの先端から下方に延出する第３片８２Ｃと、第３片８２Ｃの下端から第２片８２Ｂに平行して水平状に延出する第４片８２Ｄと、第４片８２Ｄの先端から第３片８２Ｃに平行して上方に延出する第５片８２Ｅと、から構成されている。図示の例では、上面部８１の先端に一体形成した第１片８２Ａ、第２片８２Ｂに対して、第３片８２Ｃ、第４片８２Ｄ、第５片８２Ｅを構成する別部材を固定しているが、被掛止部８２全体を一体形成してもよい。
【００２９】
被掛止部８２は長手方向において所定部位が部分的に切り欠かれている。図９に示す例では、被掛止部８２の長手方向の２箇所において切り欠かれている。図１２Ａ（Ｂ）において塗り潰して示すように、被掛止部８２を構成する第２片８２Ｂの一部が切り欠かれている。切り欠き部Ｃにおいて、部分的に切り欠かれた短尺の第２片を８２Ｂ´で表す。被掛止部８２において、切り欠き部Ｃにおいて、被係合部８２０（短尺の第２片８２Ｂ´）が形成され、切り欠かれていない部位が被掛止片８２１を構成する。
【００３０】
掛止部９２は、図１２Ａ（Ｃ）に示すように、側面視において、面部９０の上端から水平状に延出する第１片９２Ａと、第１片９２Ａの先端から上方に延出する第２片９２Ｂと、第２片９２Ｂの上端からから第１片９２Ａに平行して水平状に延出する第２片９２Ｃと、から構成されている。
【００３１】
掛止部９２は、長手方向において、被掛止部８２の被掛止片８２１（被掛止部８２において切り欠かれていない部位）に対応して、部分的に切り欠かれている。図１０の例では、掛止部９２の長さ方向の２箇所を残して切り欠かれている。掛止部９２において、切り欠かれていない部位は、被掛止部８２の被係合部８２０（切り欠かれている部位）に対応する係合片９２１を構成している。
【００３２】
図１２Ａ（Ｃ）に示すように、第３片９２Ｃ、第２片９２Ｂ、第１片９２Ａの一部が切り欠かれている。切り欠き部において、部分的に切り欠かれた短尺の第１片を９２Ａ´で表す。掛止部９２において、切り欠かれた部位が被掛止部８２の被掛止片８２１に掛止される被掛止片９２０を構成する。その他の切り欠かれていない部分（第１片９２Ａ、第２片９２Ｂ及び第３片９２Ｃ）が被掛止部８２の被係合部８２０に係合する係合片９２１を構成している。
【００３３】
図１１、図１２に基づいて上枠本体８に対する点検カバー９の取り付けについて説明する。尚、図１１、図１２では、被係合部８２０、係合片９２１の形成部位が図９、図１０のものと異なる点に留意する。先ず、点検カバー９の面部９０を水平状の姿勢として、面部９０の先端の掛止部９２を正面から上枠本体８の凹状の被掛止部８２に挿入させる。点検カバー９を水平姿勢のまま、掛止部９２を被掛止部８２の凹部内で上動させ、係合片９２１（第３片９２C）を切り欠き部Ｃに挿入させる（図１２（Ｂ）（Ｃ））。
【００３４】
ついで、係合片９２１（第３片９２C）を被係合部８２０に挿入させた状態で、点検カバー９０を、垂直姿勢となるまで下方に回動させる（図１２（Ｄ）（Ｅ））。このように、点検カバー９を下方に回動させることで、掛止部９２の係合片９２１（第２片９２Ｂ、第３片９２Ｃ）は、被掛止部８２の被係合部８２０（第２片８２Ｂ´）と係合状態となる。そして、点検カバー９の面部９０の下端側を螺子９Ａで固定することで、点検カバー９は上下部位において上枠本体８に取り付けられる（図１２（Ａ））。
【００３５】
この状態では、図１２Ａ（Ａ）に示すように、掛止部９２の掛止片９２０（第１片９２Ａ´）の基端部が被掛止部８２の被掛止片８２１（第５片８２Ｅ）の上端に支持されており、掛止部９２の係合片９２１（第２片９２Ｂ）は、被掛止部８２の被係合部８２０（第２片８２Ｂ´）の端縁の裏面側に位置して対向するように延出している。係合片９２１と被係合部８２０の係合状態は、点検カバー９を図１２（Ｃ）の状態まで回動させて引き抜くように移動させないと解除されない。したがって、仮に螺子９Ａが外れた状態で点検カバー９に衝撃が加わったとしても、点検カバー９の掛止部９２が上枠本体８の被掛止部８２から外れて点検カバー９が落下するようなことがない。
【実施例３】
【００３６】
図１３乃至図１７Ａを参照して実施例３について説明する。実施例３は、被掛止部８２、掛止部９２の具体的な構成を除いて実質的に実施例１と同じである。実施例１と共通する部材については共通の参照番号が付してあり、共通の参照番号が付された部材については実施例１の説明を援用することができる。
【００３７】
被掛止部８２は、図１７Ａ（Ｂ）に示すように、上面部８１の先端から下方に延出する第１片８２Ｆと、第１片８２Ｆの下端から上面部８１から離間するように水平状に延出する第２片８２Ｇと、第２片８２Ｇの先端から第１片８２Ｆに平行して上方に延出する第３片８２Ｈと、から構成されている。
【００３８】
被掛止部８２は長手方向において所定部位が部分的に切り欠かれている。図１４に示す例では、被掛止部８２の長手方向の２箇所において切り欠かれている。図１７Ａ（Ｂ）において塗り潰して示すように、被掛止部８２を構成する第３片８２Ｈ、第２片８２Ｇが切り欠かれている。被掛止部８２において、切り欠き部Ｃにおいて、被係合部８２０が形成され、切り欠かれていない部位が被掛止片８２１を構成する。
【００３９】
掛止部９２は、図１７Ａ（Ｃ）に示すように、面部９０の上端から水平状に延出する第１片９２Ｄと、第１片９２Ｄの先端から下方に延出する第２片９２Ｅと、第２片９２Ｅの下端から斜め上方に延出する第３片９２Ｆと、第３片９２Ｆの上端から水平状に延出する第４片９２Ｇと、から構成されている。第３片９２Ｆの上端は第１片９２Ｄの高さまでは達しておらず、第４片９２Ｇは第１片９２Ｄより下方に位置して水平状に延出している。
【００４０】
掛止部９２は、長手方向において、被掛止部８２の被掛止片８２１（被掛止部８２において切り欠かれていない部位）に対応して、部分的に切り欠かれている。図１５の例では、掛止部９２の長さ方向の２箇所を残して切り欠かれている。掛止部９２において、切り欠かれていない部位は、被掛止部８２の被係合部８２０（切り欠かれている部位）に対応している。図１７Ａ（Ｃ）に示すように、第４片９２Ｇ、第３片９２Ｆ、第２片９２Ｅが切り欠かれている。掛止部９２において、切り欠かれた部位が被掛止部８２の被掛止片８２１に掛止される掛止片９２０を構成し、それ以外の部分が被掛止部８２の被係合部８２０に係合する係合片９２１を構成している。
【００４１】
図１６、図１７に基づいて上枠本体８に対する点検カバー９の取り付けについて説明する。尚、図１６、図１７では、被係合部８２０、係合片９２１の形成部位が図１４、図１５のものと異なる点に留意する。先ず、点検カバー９の面部９０を水平状の姿勢として、面部９０の先端の掛止部９２の係合片９２１を正面から上枠本体８の被掛止部８２の切り欠き部Ｃに挿入させる（図１７（B））。
【００４２】
ついで、掛止部９２の掛止片９２０（第１片９２Ｄ）が被掛止部８２の被掛止片８２１（第３片８２Ｈ）の上端に当接した状態で、当該当接部を支点として点検カバー９０を、垂直姿勢となるまで下方に回動させる（図１７（Ｃ）（Ｄ）（Ｅ））。このように、点検カバー９を下方に回動させることで、掛止部９２の係合片９２１（第２片９２Ｆ）は、被掛止部８２の被係合部８２０（第１片８２Ｆ）と係合状態となる。
【００４３】
そして、点検カバー９の面部９０の下端側を螺子９Ａで固定することで、点検カバー９は上下部位において上枠本体８に取り付けられる（図１７（Ａ））。
【００４４】
この状態では、図１７Ａ（Ａ）に示すように、掛止部９２の掛止片９２０（第１片９２Ｄ）の基端部が被掛止部８２の被掛止片８２１（第３片８２Ｈ）の上端に掛止されており、掛止部９２の係合片９２１（第２片９２Ｆ）は、被掛止部８２の被係合部８２０（第１片８２Ｆ）に係合され、第１片８２Ｆの裏面側に位置して延出している。係合片９２１と被係合部８２０の係合状態は、点検カバー９を水平姿勢となるまで上方に回動させて引き抜くように移動させないと解除されない。したがって、仮に螺子９Ａが外れた状態で点検カバー９に衝撃が加わったとしても、点検カバー９の掛止部９２が上枠本体８の被掛止部８２から外れて点検カバー９が落下するようなことがない。
【００４５】
上枠本体８に対する点検カバー９の取付構造について複数の実施例に基づいて説明したが、点検カバー９の掛止部９２の係合片９２１の個数や形成位置は実施例１乃至３のものに限定されない。図１８は、点検カバー９の掛止部９２の係合片９２１の複数の態様例を示しており、１つ〜３つの係合片９２１が形成し得る位置を例示している。上枠本体８は図１８には図示していないが、係合片９２１の個数や形成位置に対応して、上枠本体８の被掛止部８２には、切り欠き部Ｃ、被係合部８２０が形成されることは当業者に容易に理解される。
【産業上の利用可能性】
【００４６】
本発明は、引戸装置の点検カバーの取付構造として利用することができる。
【図面の簡単な説明】
【００４７】
【図１】第１実施例に係る扉閉鎖時における引戸装置の姿図である。
【図２】第１実施例に係る引戸装置の一部省略縦断面図である。
【図３】第１実施例に係る引戸装置の一部省略横断面図である。
【図４】第１実施例に係る上枠本体を示す図である。
【図５】第１実施例に係る点検カバーを示す図である。
【図６】第１実施例に係る上枠本体への点検カバーの取り付けを説明する図である。
【図７】第１実施例に係る上枠本体への点検カバーの取り付けを説明する図である。
【図７Ａ】（Ａ）第１実施例に係る上枠本体の被掛止部と点検カバーの掛止部との取付構造を示す拡大側面図である。（Ｂ）第１実施例に係る上枠本体の被掛止部の拡大側面図である。（Ｃ）第１実施例に係る点検カバーの掛止部の拡大側面図である。
【図８】第２実施例に係る引戸装置の一部省略縦断面図である。
【図９】第２実施例に係る上枠本体を示す図である。
【図１０】第２実施例に係る点検カバーを示す図である。
【図１１】第２実施例に係る上枠本体への点検カバーの取り付けを説明する図である。
【図１２】第２実施例に係る上枠本体への点検カバーの取り付けを説明する図である。
【図１２Ａ】（Ａ）第２実施例に係る上枠本体の被掛止部と点検カバーの掛止部との取付構造を示す拡大側面図である。（Ｂ）第２実施例に係る上枠本体の被掛止部の拡大側面図である。（Ｃ）第２実施例に係る点検カバーの掛止部の拡大側面図である。
【図１３】第３実施例に係る引戸装置の一部省略縦断面図である。
【図１４】第３実施例に係る上枠本体を示す図である。
【図１５】第３実施例に係る点検カバーを示す図である。
【図１６】第３実施例に係る上枠本体への点検カバーの取り付けを説明する図である。
【図１７】第３実施例に係る上枠本体への点検カバーの取り付けを説明する図である。
【図１７Ａ】（Ａ）第３実施例に係る上枠本体の被掛止部と点検カバーの掛止部との取付構造を示す拡大側面図である。（Ｂ）第３実施例に係る上枠本体の被掛止部の拡大側面図である。（Ｃ）第３実施例に係る点検カバーの掛止部の拡大側面図である。
【図１８】点検カバーに形成される係合片の様々な態様例を示す図である。
【図１９】上枠本体の被掛止部と点検カバーの掛止部との従来の取付構造を示す引戸装置の一部省略縦断面図である。
【符号の説明】
【００４８】
８  上枠本体
８１  上面部
８２  被掛止部
８２０  被係合部
８２１  被掛止片
Ｃ  切り欠き部
９  点検カバー
９０  面部
９２  被掛止部
９２０  掛止片
９２１  係合片
【図１】
2008082053.tif 000003
【図２】
2008082053.tif 000004
【図３】
2008082053.tif 000005
【図４】
2008082053.tif 000006
【図５】
2008082053.tif 000007
【図６】
2008082053.tif 000008
【図７】
2008082053.tif 000009
【図７Ａ】
2008082053.tif 000010
【図８】
2008082053.tif 000011
【図９】
2008082053.tif 000012
【図１０】
2008082053.tif 000013
【図１１】
2008082053.tif 000014
【図１２】
2008082053.tif 000015
【図１２Ａ】
2008082053.tif 000016
【図１３】
2008082053.tif 000017
【図１４】
2008082053.tif 000018
【図１５】
2008082053.tif 000019
【図１６】
2008082053.tif 000020
【図１７】
2008082053.tif 000021
【図１７Ａ】
2008082053.tif 000022
【図１８】
2008082053.tif 000023
【図１９】
2008082053.tif 000024